(57)【要約】【課題】タッチセンサ及び加速度センサといった複数のセンサが搭載され、表示出力装置として電子ペーパーが搭載された情報処理装置において、センサ間の連携による電源ＯＦＦ／ＯＮでの省電力化、電子ペーパー特性に応じた最適な表示出力制御を行う必要がある。【解決手段】タッチセンサ及び加速度センサを備え、センサ間の連携によって、所定時間加速度センサによる変位がない場合、加速度センサの電源をＯＦＦにする。また、タッチセンサに変位があった場合には、電源ＯＦＦになっている加速度センサの電源をＯＮにすることによって省電力化を図る。さらに、加速度センサの計測値に応じて画面出力を変更するなどして、ユーザの利便性も向上させることができる情報処理装置及び動作制御方法を提供する。【選択図】図１
2011013735.tif 000002
【特許請求の範囲】
【請求項１】
センサ機能を備える第１のセンサ部、及び第２のセンサ部と、
前記第１のセンサ部が計測するデータの演算判定を行う第１のセンサデータ判定部と、
前記第２のセンサ部が計測するデータの演算判定を行う第２のセンサデータ判定部と、
電源供給を行う電源部と、
前記第１のセンサデータ判定部が、第１の所定の条件に従って、所定の時間の間に、前記第１のセンサ部に対しての入力がないと判定した場合に、前記第１のセンサ部に対する前記電源部からの電源供給をオフ、又は、前記第１のセンサ部を省電力モードに設定し、前記第２のセンサデータ判定部が、第２の所定の条件に従って、前記所定の時間より短い所定の時間の間に、前記第２のセンサ部に対して入力がないと判定した場合に、前記第２のセンサ部に対する前記電源部からの電源供給をオフ、又は、前記第２のセンサ部を省電力モードに設定する制御部と、を備える情報処理装置。
【請求項２】
前記制御部は、前記第２のセンサ部の電源供給がオフ、又は、省電力モードの場合に、前記第１のセンサデータ判定部が前記第１のセンサ部への入力があると判定した際は、前記第２のセンサ部への電源供給をオン乃至非省電力モードに設定する、ことを特徴とする請求項１に記載の情報処理装置。
【請求項３】
前記第１のセンサはタッチセンサ、前記第２のセンサは加速度センサであることを特徴とする請求項１乃至２に記載の情報処理装置。
【請求項４】
前記第１のセンサは加速度センサ、前記第２のセンサはタッチセンサであることを特徴とする請求項１乃至２に記載の情報処理装置。
【請求項５】
前記第１の所定の条件、及び、前記第２の所定の条件は、前記第１のセンサ部、及び、乃記第２のセンサ部が計測するデータが所定の閾値を超えない範囲であることを特徴とする請求項１に記載の情報処理装置。
【請求項６】
電子ペーパー特性のデバイスで構成され、データの表示を行うディスプレイ機能を備える表示出力部をさらに備え、
前記制御部は、所定の条件に合致した際に前記電子ペーパーに所定の画面出力を行うことを特徴とする請求項１乃至請求項５のいずれかに記載の情報処理装置。
【請求項７】
前記所定の条件とは、前記第２のセンサ部の電源供給がオフに設定される状態、又は、前記第２のセンサ部が省電力モードに設定される状態とほぼ同じタイミングであることを特徴とする請求項６に記載の情報処理装置。
【請求項８】
前記所定の条件とは、前記第２のセンサデータ判定部が、前記第２のセンサ部が計測するデータが所定の条件に合致していると判定した場合であることを特徴とする請求項６に記載の情報処理装置。
【請求項９】
前記第２のセンサデータ判定部が、前記第２のセンサ部が計測するデータが所定の条件に合致しているとは、前記情報処理装置が所定の角度に置かれている状態と判定した場合であることを特徴とする請求項８に記載の情報処理装置。
【請求項１０】
情報処理装置の制御方法であって、
第１のセンサによる入力の計測を行う第１のセンサ計測ステップと、
前記第１のセンサ部が計測するデータの判定を行う第１のセンタデータ判定ステップと、
第２のセンサによる入力の計測を行う第２のセンサ計測ステップと、
前記第２のセンサ部が計測するデータの判定を行う第２のセンサデータ判定ステップと、
前記第１のセンサデータ判定ステップで、第１の所定の条件に従って、所定の時間の間に、前記第１のセンサ部に対して入力がないと判定した場合に、前記第１のセンサ部に対する電源供給をオフにする、又は、前記第１のセンサ部を省電力モードに設定し、前記第２のセンサデータ判定ステップで、第２の所定の条件に従って、前記所定の時間より短い所定の時間の間に、前記第２のセンサ部に対して入力がないと判定した場合に、前記第２のセンサ部に対する電源供給をオフにする、又は、前記第２のセンサ部を省電力モードに設定する制御ステップと、
を備える情報処理装置の制御方法。
【請求項１１】
前記制御ステップは、前記第２のセンサ部の電源供給がオフ、又は、省電力モードになっている場合、かつ、前記第１のセンサデータ判定ステップが前記第１のセンサ部への入力があると判定した場合、前記第２のセンサ部への電源供給をオン、又は、非省電力モードに設定する、
請求項１０に記載の情報処理装置の制御方法。
【請求項１２】
前記第１の所定の条件、及び、前記第２の所定の条件は、前記第１のセンサ部、及び、前記第２のセンサ部が計測するデータが所定の閾値を超えない範囲であることを特徴とする請求項１０に記載の情報処理装置の制御方法。
【請求項１３】
前記第２のセンサデータ判定ステップにおいて、所定の条件に合致している場合には表示部への所定の画面出力を行う表示出力ステップを、
さらに備える請求項１０乃至請求項１２のいずれかに記載の情報処理装置の制御方法。
【請求項１４】
前記所定の条件とは、前記第２のセンサ部の電源供給がオフに設定されるステップ、又は、前記第２のセンサ部が省電力モードに設定されるステップとほぼ同じタイミングであることを含む請求項１３に記載の情報処理装置の制御方法。
【請求項１５】
前記所定の条件とは、前記第２のセンサデータ判定ステップで、前記第２のセンサ部のデータが、所定の条件に合致していると判定した場合であることを特徴とする請求項１３に記載の情報処理装置の制御方法。
【請求項１６】
前記第２のセンサデータ判定ステップで、前記第２のセンサ部のデータが所定の条件に合致しているとは、所定の角度に置かれている状態であることを特徴とする請求項１５に記載の情報処理装置の制御方法。
【発明の詳細な説明】
【技術分野】
【０００１】
本発明は、表示出力機能、及び複数のセンサ機能を備えている、持ち運び可能な情報処理装置、及び当該装置の制御方法に関する。
【背景技術】
【０００２】
パソコン、携帯電話端末、スマートフォン、ゲーム端末、オーディオプレーヤ、ビデオプレーヤなど各種のモバイル用途の情報処理装置において、ユーザの操作入力手段のために、ボタン装置を搭載するのに加えて、タッチパネル（専用ペン操作パネル）、加速度センサなどの各種センサを搭載してユーザが直観的に操作できるようなインターフェースを備えた装置が、近年多くなっている。
【０００３】
またさらに、これらの各種情報処理装置の中には、表示出力装置として、所謂電子ペーパーといわれる表示出力装置を備えたものも普及してきている。電子ペーパーとは、非特許文献１では次のように定義されている。「印刷物の代替を狙い文字の読みやすい表示を提供する静止画重視の電子媒体の概念であり、一般に反射型でメモリ性をもつ表示技術により実現される。」このように、電子ペーパーは、画面の表示更新時には電源を供給する必要があるものの、一旦表示更新した後は電源を供給する必要がないデバイスである。つまり、液晶ディスプレイといった、表示中は常時電源供給が必要な表示出力装置に比べて、低消費電力化が可能である。具体的なデバイスとしてはマイクロカプセル型電気泳動方式、コレステリック液晶方式などの方式を搭載した情報処理装置があるが、その他の方式も含めて様々な用途で利用されている。
【０００４】
モバイル用途で使用する各種情報処理装置では、一般的に搭載する各機能や装置の消費電力を低減させることが利便性の向上のために重要であり、前述のように表示出力装置に電子ペーパー機能を備えたデバイスを使用することは、低消費電力化に有効な手段のひとつである。例えば、従来このような、情報処理装置の省電力化に関して、特許文献１では、加速度センサを搭載した携帯電話機が加速度センサの値に応じて省電力モードに移行する技術が開示されている。また、特許文献２では、所謂パソコンのサスペンドレジューム機能での、レジューム条件に関して省電力状態から適切に復帰する技術が公開されている。
【先行技術文献】
【特許文献】
【０００５】
【特許文献１】特開２００７−２６６７０６号公報
【特許文献２】特開２００７−１０２６７０号公報
【非特許文献】
【０００６】
【非特許文献１】「電子材料」編集部、「電子材料２００８年５月号別冊  電子ディスプレイ技術２００８」、工業調査会、平成２０年４月８日、ｐ．５５
【発明の概要】
【発明が解決しようとする課題】
【０００７】
タッチセンサと加速度センサのような複数のセンサが搭載された情報処理装置の場合、装置の低消費電力化を徹底するには、それらの個々のセンサの連携によって加速度センサ自体への電源供給を適宜ＯＦＦ／ＯＮするような制御構成が有効である。また、さらに電子ペーパーを表示出力装置に備えるような電子端末の場合、加速度センサの計測値に応じて、表示出力装置の制御を行うことも必要である。しかし、これらの具体的内容に関する技術は先行特許文献でも開示されていなかった。
【０００８】
そこで、本発明では、上記問題点に鑑み、表示出力装置としての電子ペーパーと加速度センサを含めた複数のセンサが搭載された情報処理装置において、徹底した省電力化を実現する情報処理装置、及び適切な動作制御方法を提供することを目的とする。
【課題を解決するための手段】
【０００９】
本発明の情報処理装置は、センサ機能を備える第１のセンサ部、及び第２のセンサ部と、前記第１のセンサ部が計測するデータの演算判定を行う第１のセンサデータ判定部と、前記第２のセンサ部が計測するデータの演算判定を行う第２のセンサデータ判定部と、電源供給を行う電源部と、前記第１のセンサデータ判定部が、第１の所定の条件に従って、所定の時間の間に、前記第１のセンサ部に対しての入力がないと判定した場合に、前記第１のセンサ部に対する前記電源部からの電源供給をオフ、又は、前記第１のセンサ部を省電力モードに設定し、前記第２のセンサデータ判定部が、第２の所定の条件に従って、前記所定の時間より短い所定の時間の間に、前記第２のセンサ部に対して入力がないと判定した場合に、前記第２のセンサ部に対する前記電源部からの電源供給をオフ、又は、前記第２のセンサ部を省電力モードに設定する制御部と、を備えるものである。
【００１０】
なお、制御部は、前記第２のセンサ部の電源供給がオフ、又は、省電力モードの場合に、前記第１のセンサデータ判定部が前記第１のセンサ部への入力があると判定した際は、前記第２のセンサ部への電源供給をオン乃至非省電力モードに設定することが好ましい。
【００１１】
前記第１のセンサはタッチセンサ、前記第２のセンサは加速度センサであってもよい。
【００１２】
前記第１のセンサは加速度センサ、前記第２のセンサはタッチセンサであってもよい。
【００１３】
前記第１の所定の条件、及び、前記第２の所定の条件は、前記第１のセンサ部、及び、乃記第２のセンサ部が計測するデータが所定の閾値を超えない範囲であることが好ましい。
【００１４】
さらに、情報処理装置は、電子ペーパー特性のデバイスで構成され、データの表示を行うディスプレイ機能を備える表示出力部をさらに備え、前記制御部は、所定の条件に合致した際に前記電子ペーパーに所定の画面出力を行うものであってもよい。
【００１５】
前記所定の条件とは、前記第２のセンサ部の電源供給がオフに設定される状態、又は、前記第２のセンサ部が省電力モードに設定される状態とほぼ同じタイミングであってもよい。
【００１６】
前記所定の条件とは、前記第２のセンサデータ判定部が、前記第２のセンサ部が計測するデータが所定の条件に合致していると判定した場合であることが好ましい。
【００１７】
前記第２のセンサデータ判定部が、前記第２のセンサ部が計測するデータが所定の条件に合致しているとは、前記情報処理装置が所定の角度に置かれている状態と判定した場合であることが好ましい。
【００１８】
上記発明内容は、情報処理装置だけでなく、情報処理装置の制御方法としても実現可能である。
【発明の効果】
【００１９】
情報処理装置は、タッチセンサ及び加速度センサを備え、センサ間の連携によって、所定時間の間、加速度センサによる変位がない場合、加速度センサの電源をＯＦＦにする。また、タッチセンサに変位あった場合には、電源ＯＦＦになっている加速度センサの電源をＯＮにすることによって、ユーザの利便性を損なわずに徹底した省電力化を図ることが可能となる。
【００２０】
また、さらに情報処理装置は電子ペーパーによる表示出力装置を備え、加速度センサの電源ＯＦＦ時に表示出力を変更するなどの、加速度センサと連携した表示を行うことによって、さらにユーザの利便性を高めることが可能となる。
【図面の簡単な説明】
【００２１】
【図１】本発明の実施の形態１に於ける情報処理装置の構成を示した第１の説明図
【図２】本発明の実施の形態１に於ける加速度センサの構成を示した第１の説明図
【図３】本発明の実施の形態１に於ける情報処理装置の構成を示した第２の説明図
【図４】本発明の実施の形態１に於ける情報処理装置の構成を示した第３の説明図
【図５】本発明の実施の形態１に於ける情報処理装置の処理を示した第１のフローチャート
【図６】本発明の実施の形態１に於ける情報処理装置の処理を示した第２のフローチャート
【図７】本発明の実施の形態２に於ける情報処理装置の処理を示した第１のフローチャート
【図８】本発明の実施の携帯２に於ける情報処理装置の画面表示の例を示す図
【発明を実施するための形態】
【００２２】
（実施の形態１）
図１は、本発明の実施の形態による情報処理装置の構成を示したブロック図である。情報処理装置１００は、制御部１１０、表示出力部１１１、タッチセンサデータ判定部１１２、タッチセンサ部１１３、加速度センサデータ判定部１１４、加速度センサ部１１５、電源部１１６から構成される、例えば、携帯電話端末、電子辞書、電子書籍リーダをはじめとするモバイル用途のデジタル機器である。
【００２３】
制御部１１０は、情報処理端末１００内の各種動作制御を行う機能を備えており、表示出力部１１１、タッチセンサデータ判定部１１２、タッチセンサ部１１３、加速度センサデータ判定部１１４、加速度センサ部１１５、電源部１１６の各種動作制御を行う。
【００２４】
表示出力部１１１は、各種の情報を表示するディスプレイ機能を備えた電子ペーパーデバイスであり、表示する情報を更新する場合には電源部１１６からの電源供給を必要とするが、一旦表示された後には電源部１１６からの電源供給を必要としないメモリ性の特徴を備えている。電子ペーパーデバイスは、マイクロカプセル型電気泳動方式、コレステリック液晶方式などの方式のデバイスである。電子ペーパーデバイスの詳細構成についての説明はここでは割愛する。
【００２５】
タッチセンサデータ判定部１１２は、タッチセンサ部１１３から得られるデータから、タッチ場所の位置情報の検出や、タッチしている時間、多点タッチの情報などの判定を行う機能を備えるハードウェア回路乃至ソフトウェアモジュールである。
【００２６】
タッチセンサ部１１３は、ユーザによる指のタッチ或いは専用ペンによるタッチ操作を検出する機能を備えており、例えば、抵抗膜パネル、静電容量パネル、電磁誘導パネルといった各種タッチセンサパネルで構成される。タッチセンサパネルは所定のサンプリング周波数毎に、タッチされた座標情報を出力する機能を備える。各種タッチパネルデバイスの詳細構成についての説明はここでは割愛する。情報処理装置１００では、これらのタッチパネルは表示出力部１１１の表面に装着されるなどの構成で、ユーザが表示出力部１１１をタッチすることによって操作することを実現する。
【００２７】
加速度センサデータ判定部１１４は、後述する加速度センサ部１１５から得られるＸ軸方向、Ｙ軸方向、Ｚ軸方向の計測データから、加速度や、重力加速度を基準に判定し、加速度センサ部１１５がどのような位置（体勢状態（そのときの体勢の角度））にいるのかなどの判定を行う機能を備えるハードウェア回路乃至ソフトウェアモジュールである。
【００２８】
加速度センサ部１１５は、縦方向（Ｘ軸方向）、横方向（Ｙ軸方向）、高さ方向（Ｚ軸方向）の測定値を０．５Ｈｚ〜４００Ｈｚといった所定のサンプリング周波数毎に±２〜±８ｇの出力値を６ビット〜１２ビットの分解能で出力する機能を備える。
【００２９】
図２は３軸加速度センサの体勢とその時のＸ軸、Ｙ軸、Ｚ軸の計測値の単純化した例を示している。図２の（Ａ）のように加速度センサが水平状態に置かれている場合には、Ｘ軸、Ｙ軸のパラメータはそれぞれ“０”となるが、Ｚ軸に関しては、重力が加速度センサの軸方向とは逆にかかるため、“−１”となる。つまり（Ｘ、Ｙ、Ｚ）＝（０、０、−１）となる例を示している。この状態のまま、Ｘ軸を中心に９０度回転させると最終的には、図２の（Ｂ）のように加速度センサ部１１５の計測値は（Ｘ、Ｙ、Ｚ）＝（０、１、０）となる。また、図２の（Ａ）の状態からＹ軸を中心に９０度回転させると最終的には加速度センサ部１１５の計測値は図２の（Ｃ）のように（Ｘ、Ｙ、Ｚ）＝（１、０、０）となる。回転途中の段階のＸ、Ｙ、Ｚの値の例は割愛するが、この図のようにセンサの角度に応じて、Ｘ軸、Ｙ軸、Ｚ軸それぞれの計測値を出力する機能を備える。
【００３０】
電源部１１６は、制御部１１０、表示出力部１１１、タッチセンサデータ判定部１１２、タッチセンサ部１１３、加速度センタデータ判定部１１４、加速度センサ部１１５に電源を供給する機能を備える。ここでは特に、持ち運びが可能となるような一次電池、二次電池などで構成される電源である。
【００３１】
図３は情報処理装置１００の構成例を示した図である。表示出力部１１１上に透明のタッチセンサ部１１３を重ねて構成することで、ユーザは表示出力部１１１に表示される情報にタッチして選択することが可能となり、直観的に操作しやすいユーザーインターフェースを実現している。また、加速度センサ部１１５を内部に設置することで、情報処理装置１００がどのような体勢に置かれているのかを検出することが可能となる。さらに、電源部１１６を内部に設けていることで、情報処理装置１００を持ち運ぶことが可能となる。
【００３２】
図４はさらに具体的な情報処理装置１００の例を示した図である。表示出力部１１１に電子ペーパーデバイスを用いた場合、特に、画面の更新が頻繁に必要としない静止画コンテンツの一種であるドキュメント情報を表示する用途に適していると考えられる。そのため、ここでは、ドキュメント情報を表示する構成（縦書きの文字が表示されている構成）の一例を示している。図４の（Ａ）に示すように、縦方向で装置を保持している場合には、画面上にドキュメント情報を表示するとともに、“次ページ”“前ページ”のようなボタン表示を画面に行い、ユーザがその領域をタッチすると画面を更新するような構成例である。
【００３３】
また、（Ｂ）のように横方向にユーザが保持し直した場合には、内蔵する加速度センサ部１１５から出力されるデータに基づき加速度センサデータ判定部１１４で判定を行い、表示を自動的に横方向で保持したときに最適になるように変更することも実現できる。このように各種センサと操作・表示を連携することで、ユーザの利便性を高めることができる。
【００３４】
次に、これら情報処理装置１００に搭載されたセンサへの電源供給制御についてシーケンス図を用いて説明する。図５は情報処理装置１００におけるタッチセンサ部１１３、加速度センサ部１１５、システムの電源ＯＦＦのタイミング、及び、加速度センサ部１１５の電源ＯＦＦ時から電源ＯＮに移行するタイミングなどの処理シーケンスである。
【００３５】
（ステップＳ５０１）情報処理装置１００の制御部１１０は、タッチセンサ部１１３からデータを取得する。取得したデータはタッチセンサデータ判定部１１２に渡す。
【００３６】
（ステップＳ５０２）次に、タッチセンサデータ判定部１１２は、取得したデータからユーザによるタッチセンサへの入力があったか否かの判定を行う。タッチセンサへの入力があったと判定した場合にはステップＳ５０３の処理へ進む。タッチセンサへの入力がなかったと判定した場合にはステップＳ５０４の処理へ進む。ステップＳ５０４の処理については後述する。
【００３７】
（ステップＳ５０３）次に、制御部１１０は、加速度センサ部１１５の電源がＯＦＦになっているか否かの判定を行う。加速度センサ部１１５の電源がＯＮになっていると判定した場合には、ステップＳ５０７の処理へ進む。加速度センサ部１１５の電源がＯＦＦになっていると判定された場合には、ステップＳ５０６の処理へ進む。
【００３８】
（ステップＳ５０６）次に、制御部１１０は、加速度センサ部１１５の電源をＯＮにしてステップＳ５０７の処理へ進む。
【００３９】
（ステップＳ５０７）次に、制御部１１０は、タッチセンサデータ判定部１１２から得たタッチセンサの判定結果に基づき、画面更新を行うなどのタッチセンサデータに基づいた所定の処理を行う。処理が終了するとステップＳ５０８の処理へ進む。
【００４０】
（ステップＳ５０８）次に、制御部１１０は、加速度センサ部１１５からデータを取得する。取得したデータは加速度センサデータ判定部１１４に渡す。
【００４１】
（ステップＳ５０９）次に、加速度センサデータ判定部１１４は、取得したデータから所定時間の間に加速度の変位があったか否か、つまり、所定時間の間、情報処理装置１００が静止していたか否かの判定を行う。所定時間の間に加速度の変位がないと判定した場合には、ステップＳ５１１の処理へ進む。所定時間の間に加速度の変化があると判定した場合には、ステップＳ５１０の処理へ進む。ここでの所定時間の間とは、例えば６０秒といった予め決められた所定の値である。また、加速度の変化に関しては、ある程度の閾値を設けて判断する。加速度センサ部１１５の精度が非常に高い場合には、少しの変位も計測できてしまうため、例えば、４５度以上、どちらかの方向に傾いた場合には変位があったと判断するなどの判定を行う。
【００４２】
（ステップＳ５１０）次に、制御部１１０は、加速度センサデータ判定部１１４の判定結果に基づき、画面更新を行うなどの処理を行い、ステップＳ５０１の処理へ進む。
【００４３】
（ステップＳ５１１）制御部１１０は、加速度センサ部１１５の電源をＯＦＦに設定し、ステップＳ５０１の処理へ進む。
【００４４】
次に、以下にステップＳ５０４の処理について記述する。ステップＳ５０４は前述のステップＳ５０２の処理においてタッチセンサデータ判定部１１２が、タッチセンサへの入力がなかったと判定した場合の処理である。
【００４５】
（ステップＳ５０４）タッチセンサデータ判定部１１２はタッチセンサへの入力が所定時間なかったか否かを判定する。所定時間の間、タッチセンサへの入力がないと判定した場合、ステップＳ５１２の処理へ進む。所定時間の間にタッチセンサへの入力があったと判定した場合、ステップＳ５０５の処理へ進む。ここでの所定の時間とは、例えば１２０秒といった予め決められた所定の値である。
【００４６】
（ステップＳ５０５）次に、制御部１１０は、加速度センサ部１１５の電源がＯＦＦになっているか否かの判定を行う。加速度センサ部１１５の電源がＯＦＦになっている場合には、ステップＳ５０１の処理へ進む。加速度センサ部１１５の電源がＯＮになっている場合には、前述のステップＳ５０８の処理へ進む。
【００４７】
（ステップＳ５１２）次に、ステップＳ５０４でタッチセンサデータ判定部１１２がタッチセンサへの入力が所定時間の間なかったと判定した場合には、制御部１１０は、タッチセンサ部１１３への電源供給をＯＦＦに設定し、ステップＳ５１３の処理へ進む。
【００４８】
（ステップＳ５１３）次に、制御部１１０は、情報処理装置１００のシステムの電源をＯＦＦに設定する。
【００４９】
情報処理装置１００がドキュメントを主に表示を行うような用途で利用され、表示操作などの操作がタッチパネルを利用して操作されることが想定される場合、上記のようなタッチセンサ、加速度センサ、システムの電源供給ＯＦＦ及び加速度センサの電源供給ＯＮの動作制御をすることで、ユーザに対する情報処理装置１００の利便性を損なうことなく、加速度センサに対する無駄な電源供給を削減することができ特に有効である。
【００５０】
なお、本発明の実施の形態で、情報処理装置の構成について説明したが、本発明は上記の実施の形態に限定されないのはもちろんである。本発明の趣旨を逸脱しない範囲で実施変更することができる。例えば、以下のような場合も本発明に含まれる。
【００５１】
（１）上記の実施の形態では、加速度センサデータ判定部１１４が所定の時間の間変位がないと判定する例として、どちらかの方位に４５度程度傾いたか否かの例を示したが、その変位検出判定方法は限定されない。例えば、水平方向の変位はあるが、垂直方向の変位がない場合には変位がないと判定する、或いは、いずれか９０度の状態のみ変位がないと判定する、などの方法であってもよい。
【００５２】
（２）上記の実施の形態では、タッチセンサデータ判定部１１２は１２０秒間、加速度センサデータ判定部１１４は６０秒間、それぞれセンサに対する入力があるか否かの判定を行う例を示したが、その時間はどのような設定であってもよい。あらかじめ定められた時間ではなく、ユーザの利用頻度に応じて適宜変更されるような構成であってもよい。
【００５３】
（３）上記の実施の形態では、タッチセンサと加速度センサを用いた構成例を示したが、その構成は限定されない。図６はセンサを特定せずに、センサＡとセンサＢを備えるとした情報処理装置のセンサＢの電源ＯＦＦ／ＯＮのシーケンス概念について示したフローチャートである。図中はセンサＡとセンサＢのそれぞれの測定値に基づく情報処理装置の動作（例えば画面更新などの動作）は割愛している。
【００５４】
（ステップＳ６０１）センサＡに対して入力があるか否かをセンサＡで測定する。
【００５５】
（ステップＳ６０２）次に、センサＡでの測定結果から入力変位が所定時間の間にあるか否かの判定を行う。所定時間の間、変位がない場合には、ステップＳ６０８に進む。所定時間の間に変位がある場合にはステップＳ６０３に進む。
【００５６】
（ステップＳ６０３）次に、センサＢの電源がＯＦＦになっているか否かの判定を行う。電源がＯＮになっている場合には、ステップＳ６０５に進む。電源がＯＦＦになっている場合には、ステップＳ６０４に進む。
【００５７】
（ステップＳ６０４）次に、センサＢの電源をＯＮにする。
【００５８】
（ステップＳ６０５）次に、センサＢに対しての入力があるか否かをセンサＢで測定する。
【００５９】
（ステップＳ６０６）次に、センサＢでの測定結果から入力変位が所定時間の間にあるか否かの判定を行う。所定時間の間に変位があると判定した場合には、ステップＳ６０１の処理に移る。所定時間の間に変位がないと判定した場合にはステップＳ６０７に進む。
【００６０】
（ステップＳ６０７）次に、センサＢの電源をＯＦＦにする。
【００６１】
（ステップＳ６０８）ステップＳ６０２でセンサＡでの計測結果として、所定時間の間入力変位がないと判定した場合には、センサＡの電源をＯＦＦにする。
【００６２】
本実施の形態の図５のケースでは、図６でのセンサＡとしてタッチセンサ、センサＢとして加速度センサを用いた場合の具体的な構成例を示したが、情報処理装置として加速度センサの利用頻度が高く、タッチセンサの利用頻度が低い場合においては、センサＡとして加速度センサ、センサＢとしてタッチセンサが構成されてもよい。さらには、タッチセンサと加速度センサのセンサに限定されず、ユーザが情報処理装置の近くにいるか否かを検出するため赤外線センサや、明るさを検出するためのセンサなどが搭載されてもよい。      
【００６３】
つまり、情報処理装置１００に搭載されるセンサの間の連携で、センサへの電源供給のＯＦＦ／ＯＮを制御する構成であればよく、センサの種類は限定されない。
【００６４】
（実施の形態２）
以下、実施の形態２を図面に基づいて詳細に説明する。実施の形態１と異なる点は、図５の処理シーケンスのステップＳ５０９，ステップＳ５１１の処理が図７の処理シーケンスステップＳ７１０，ステップＳ７１１，ステップＳ７１２となっている点である。その他の構成、処理シーケンスは同様であるため、詳細な説明は割愛する。以下、異なる点に関して詳細に説明する。
【００６５】
（ステップＳ７１０）加速度センサデータ判定部１１４は、取得したデータから所定の変位がないと判定した場合には、ステップＳ５１０の処理へ進む。所定の変位があると判定した場合には、ステップＳ７１１の処理へ進む。ここでの所定の変位とは、例えば、Ｚ軸の方位に１８０度傾けた状態である。
【００６６】
（ステップＳ７１１）次に、制御部１１０は、加速センサ部１１５の電源をＯＦＦに設定し、ステップＳ７１２の処理へ進む。
【００６７】
（ステップＳ７１２）次に、制御部１１０は、表示出力部１１１の画面出力の表示を所定の表示に変更する。
【００６８】
図８は、これらステップＳ７１０からステップＳ７１２の処理の際の具体的な画面表示の例を示した図である。図８（Ａ）のように水平状態（Ｘ、Ｙ、Ｚ）＝（０、０、−１）の状態に情報処理装置１００が置かれている状態から、Ｚ軸が１８０度変位するように、図８（Ｂ）のような（Ｘ、Ｙ、Ｚ）＝（０、０、１）の状態に置いた際には、制御部１１０が画面表示をクリアする。一旦、画面がクリアされると図８（Ｃ）のように再度Ｚ軸で１８０度回転させ、（Ｘ、Ｙ、Ｚ）＝（０、０、−１）の状態に置いた際にも、画面がクリアされている状態が保持される。表示出力部１１１に電子ペーパーを搭載するような情報処理装置１００では、表示出力部１１１に表示した情報が、表示出力部１１１やシステムの電源ＯＦＦになった後も何もしなければそのまま表示されるため、ユーザが見ていない状態、保持していない状態において、セキュリティ的な問題がありえる。
【００６９】
図７及び図８に示すように一旦表示出力部１１１が下になるように置かれた際には、画面表示をクリアすると共に加速度センサ部１１５への電源をＯＦＦにすることで、電子ペーパーデバイスを使用する情報処理装置１００において、表示出力データのセキュリティ性を保持できると共に、省電力化を図ることが可能となり特に有効である。
【００７０】
なお、本実施の形態では、上記の実施の形態に限定されないのはもちろんである。本発明の趣旨を逸脱しない範囲で実施変更することができる。例えば、以下のような発明も本発明に含まれる。
【００７１】
（１）上記の実施の形態では、加速度センサデータ判定部１１４の判定に基づき、制御部１１０が加速度センサ部１１５の電源をＯＦＦにした後に、表示出力部１１１の画面を更新する例を示したが、表示出力部１１１の画面更新を行った後に、加速度センサ部１１５の電源をＯＦＦにするような構成であっても構わない。また、画面更新のタイミングと加速度センサ部１１５の電源ＯＦＦのタイミングが連続しておらず、例えば、一旦画面更新を行い、その後、所定の時間の後に加速度センサ部１１５の電源をＯＦＦにするなどのタイミングであってもよい。加速度センサデータ判定部１１４の判定に基づき、表示出力部１１１の表示を更新すればどのような処理順番としても構わない。
【００７２】
（２）上記の実施の形態では、Ｚ軸方向に１８０度回転させた場合に表示出力部１１１の画面をクリアする例を示したが、画面更新する加速度の変位の条件はこの条件に制限されない。また、画面表示もクリアすることに制限されない。例えば、水平状態になっていない場合には変位があると判定する、画面表示も特定の画面を表示する、濃度を薄くするなどの構成であってもよい。加速度センサデータ判定部１１４の判定に基づき所定の画面表示を行う処理であればどのような構成であっても構わない。
【００７３】
（３）上記の実施の形態では、加速度センサデータ判定部１１４の判定に基づき、表示出力部１１１の画面表示を更新する例を示したが、その例に限定されない。加速度センサデータ判定部１１４の値に基づき、例えば、表示出力部１１１に表示する際のデータ、電圧、電流、タイミングを変えるような構成であっても構わない。
【００７４】
またさらに、実施の形態１から２に共通する、例えば以下のような場合も本発明に含まれる。
【００７５】
（１）上記の実施の形態では、加速度センサ部、タッチセンサ部、システム電源の電源をＯＦＦにする例を示したが、センサのサンプリング周波数を低減させるなどセンサが備える省電力モードに移行するなどの方法であっても構わない。さらに、複数の段階に分け、最初は省電力モードに設定するが、所定の時間が経過した後に電源ＯＦＦに設定するような方法であっても構わない。
【産業上の利用可能性】
【００７６】
本発明にかかる情報処理装置、動作制御方法では、電子ペーパーによる表示出力装置、タッチセンサ及び加速度センサを備え、加速度センサの値に応じて、表示出力装置への表示を更新し、センサ間の連携によって加速度センサへの電源供給をＯＦＦにすることで、表示出力装置への適切な制御を可能にするとともに省電力化を図ることができる。そのため、モバイルで使用する情報処理装置に適用することができる。
【符号の説明】
【００７７】
１００    情報処理装置
１１０    制御部
１１１    表示出力部
１１２    タッチセンサデータ判定部
１１３    タッチセンサ部
１１４    加速度センサデータ判定部
１１５    加速度センサ部
１１６    電源部
【図１】
2011013735.tif 000003
【図２】
2011013735.tif 000004
【図３】
2011013735.tif 000005
【図４】
2011013735.tif 000006
【図５】
2011013735.tif 000007
【図６】
2011013735.tif 000008
【図７】
2011013735.tif 000009
【図８】
2011013735.tif 000010